(57)【要約】【課題】消火器の起動レバーの起動手段に形状記憶合金を用いることによって構造の簡素化及びコスト低減を図れる自動消火装置の起動装置を提供する。【解決手段】消火薬剤容器６の容器バルブ７に取り付けられた固定レバー１１と起動レバー１０との間に、感知手段２からの信号に基づく通電による加熱によって所定値以上の温度で収縮し起動レバー１０を固定レバー１１に近づける方向に引張って回動させる形状記憶合金製ばね１６を設け、該形状記憶合金製ばね１６の両端はバッテリー２２に結線する。【選択図】　　　図２
2004121533.tif 000002
【特許請求の範囲】
【請求項１】
火災を感知する感知手段と、消火薬剤が充填され、容器バルブを備えた消火薬剤容器と、前記容器バルブに取り付けられた固定レバー及び起動レバーと、前記感知手段からの信号に基づいて通電することで前記起動レバーを固定レバーに近づける方向に回動させて前記容器バルブを開く起動手段と、前記容器バルブに接続され、前記容器バルブの開きに伴い前記消火薬剤を前記消火薬剤容器から放出するホースと、このホースの先端に取り付けられた放射ノズルと、を備えた自動消火装置の起動装置において、
前記起動手段が、前記固定レバーと起動レバーとの間に、通電による加熱によって所定値以上の温度で収縮し前記起動レバーを固定レバーに近づける方向に引張って回動させる形状記憶合金製ばねを設け、該形状記憶合金製ばねの両端はバッテリーに結線してあることを特徴とする、自動消火装置の起動装置。
【請求項２】
前記形状記憶合金製ばねの収縮動作に応じて相対摺動する入れ子式内外筒よりなる断熱筒状体の内部に、前記形状記憶合金製ばねが内蔵されている、請求項１記載の自動消火装置の起動装置。
【請求項３】
前記形状記憶合金製ばねが保温材で被覆されている、請求項１記載の自動消火装置の起動装置。
【請求項４】
前記形状記憶合金製部材には常時微電流を流している、請求項１ないし３のいずれかに記載の自動消火装置の起動装置。
【発明の詳細な説明】
【０００１】
【発明の属する技術分野】
本発明は、防護区画内で火災が発生した時に、火災を感知し、その感知信号により自動的に起動して消火薬剤を放射させる自動消火装置の起動装置に関する。
【０００２】
【従来の技術】
この種の自動消火装置は、例えば、図３に示すように厨房等に設置され、その自動消火装置３０には、図４に示すような通常の消火器３１が利用される。その消火器３１は消火薬剤が充填された消火薬剤容器３２の上端口部に容器バルブ３３がキャップ３４により取り付けられ、容器バルブ３３にこれを開閉操作する固定レバー３５及び起動レバー３６が取り付けられている。そして、この自動消火装置３０の起動装置は、固定レバー３５にシリンダー３７を固定し、このシリンダー３７内を往復動するピストン３８のロッド３９を起動レバー３６に結合しており、シリンダー３７には、火災感知器４０からの信号に基づいて通電することで所定量のガスを発生するガス発生器４１を取り付け、その発生ガスのガス圧でピストン３８が下降して起動レバー３６を回動させるようになっている。起動レバー３６の回動により容器バルブ３３が開き、消火薬剤が容器バルブ３３に接続されたホース４２を経てホース先端の放射ノズル４３から防火対象物に指向して放射するようになっている（例えば、特許文献１参照。）
【０００３】
【特許文献１】
実公昭６１−４２６２２号公報（第１〜２頁、第２〜３図）
【０００４】
【発明が解決しようとする課題】
しかるに、シリンダー３７やガス発生器４１を用いる上記自動消火装置３０の起動装置では構造が複雑であり、しかも非常にコスト高になるため、より安価で簡易な起動装置が要求されている。
【０００５】
本発明は、上記要求に応えるためになされたもので、上記のような消火器の起動レバーを回動させる起動手段に形状記憶合金を用いることによって構造の簡素化及びコスト低減を図れる自動消火装置の起動装置を提供するものである。
【０００６】
【課題を解決するための手段】
本発明の自動消火装置の起動装置は、火災を感知する感知手段と、消火薬剤が充填され、容器バルブを備えた消火薬剤容器と、前記容器バルブに取り付けられた固定レバー及び起動レバーと、前記感知手段からの起動電気信号に基づいて通電することで前記起動レバーを固定レバーに近づける方向に回動させて前記容器バルブを開く起動手段と、前記容器バルブに接続され、前記容器バルブの開きに伴い前記消火薬剤を前記消火薬剤容器から放出するホースと、このホースの先端に取り付けられた放射ノズルと、を備えた自動消火装置の起動装置において、前記起動手段が、前記固定レバーと起動レバーとの間に、通電による加熱によって所定値以上の温度で収縮し前記起動レバーを固定レバーに近づける方向に引張って回動させる形状記憶合金製ばねを設け、該形状記憶合金製ばねの両端はバッテリーに結線してあることに特徴を有するものである。
【０００７】
この場合において、前記形状記憶合金製ばねは、保温材で被覆したり、あるいは形状記憶合金製ばねの収縮動作に応じて相対摺動する入れ子式内外筒よりなる断熱筒状体の内部に内蔵したりして形状記憶合金製ばねからの放熱を防止することが好ましい。また、前記形状記憶合金製部材には常時微電流を流すことが好ましい。
【０００８】
【作用】
上記構成の自動消火装置の起動装置によれば、感知手段が火災を感知すると、この感知手段からの信号に基づいて形状記憶合金製ばねに通電し、形状記憶合金製ばねは電気抵抗により発熱し、この発熱により収縮する。形状記憶合金製ばねが通電加熱により収縮すると、起動レバーが固定レバーに近づく方向に引張られて回動して容器バルブを開き、消火薬剤が消火薬剤容器からホースを経て放射ノズルから放射する。
【０００９】
形状記憶合金製ばねが保温材で被覆するか、または断熱筒状体の内部に内蔵されていると、保温材又は断熱筒状体により形状記憶合金製ばねからの放熱を防止できるため、形状記憶合金製ばねは通電による加熱によって短時間で所定温度に達して収縮することになり、それだけ火災感知から消火薬剤放射起動までの起動時間を短縮できることになる。
【００１０】
形状記憶合金製部材に常時微電流を流しておくと、形状記憶合金製ばねを常時一定温度に保持できるため、これによっても起動時間を短縮できることになる。
【００１１】
【発明の実施の形態】
以下、本発明の好適な実施形態を図面に基づき説明する。図１は本発明の一実施例を示す自動消火装置の正面図、図２は図１の自動消火装置の起動装置の正面図である。
【００１２】
図１、図２において、本発明の対象の自動消火装置は、キャビネットＣに格納された通常の蓄圧式あるいは加圧式等の消火器１と、火災感知器よりなる感知手段２が使用される。感知手段２はキャビネットＣ内の制御盤３に結線される。制御盤３には電源スイッチ４や警報ブザー５等が配線されている。
【００１３】
一方、消火器１は二酸化炭素等の消火薬剤が充填された消火薬剤容器６の上端口部に容器バルブ７を取り付け、容器バルブ７にこれを開閉操作するための軸９回りに回動可能な起動レバー１０及び固定レバー１１を取り付けている。起動レバー１０と固定レバー１１の基端側の軸９上には起動レバー１０を固定レバー１１から離す開き方向に付勢する鋼製の付勢ばね１２が介装されている。容器バルブ７の出口側にはホース１３が接続され、このホース１３の先端に、防火対象物に指向する放射ノズル１４が取り付けられている。
【００１４】
起動レバー１０と固定レバー１１との間には、感知手段２からの信号に基づいて起動レバー１０を固定レバー１１に近づける閉じ方向に軸９回りに回動させて容器バルブ７を自動的に開放する起動手段１５を設ける。
この起動手段１５は、図２に示すように、固定レバー１１と起動レバー１０の先端側どうし間に、感知手段２からの信号に基づく通電による加熱によって所定値以上の温度で収縮するＮｉ−Ｔｉ合金等の形状記憶合金製ばね１６を取り付ける。その際、形状記憶合金製ばね１６は、これからの放熱を防止するために、形状記憶合金製ばね１６の収縮動作に応じて相対摺動する入れ子式内外筒１７，１８よりなる樹脂製の断熱筒状体１９の内部に内蔵する。内筒１７はこれの下底部１７ａに結合されたボルト２０をもって固定レバー１１に結合され、外筒１８はこれの上底部１８ａに結合されたボルト２１をもって起動レバー１０に結合され、形状記憶合金製ばね１６はＳ字形状やコイル状などに形成され、その両端が内外筒１７，１８内に突出するボルト２０，２１の各端部に結合される。そして形状記憶合金製ばね１６の両端はバッテリー２２のプラス極とマイナス極にリード線２３をもって結線される。バッテリー２２は制御盤３に配線される。
【００１５】
しかるときは、常態時は、形状記憶合金製ばね１６は図２に実線で示す如く伸長状態にある。この状態で火災が発生すると、感知手段２からの信号が制御盤３及びバッテリー２２を介して形状記憶合金製ばね１６に通電し、形状記憶合金製ばね１６は自己発熱により所定温度に達した時に記憶形状に、つまり図２に仮想線Ａで示すごとく収縮し、この収縮に伴い起動レバー１０が付勢ばね１２に抗して固定レバー１１に近づく閉じ方向に引張られて軸９回りに回動する。この起動レバー１０の回動により容器バルブ７が開放し、消火薬剤容器６から消火薬剤がホース１３を経由して放射ノズル１４より防火対象物に指向して放射する。
【００１６】
形状記憶合金製ばね１６は断熱筒状体１９の内部に内蔵されて該形状記憶合金製ばね１６からの放熱が防止されているので、形状記憶合金製ばね１６は感知手段２からの信号に基づく通電による加熱によって短時間で所定温度に達して収縮し、それだけ火災感知から消火薬剤放射起動までの起動時間を短縮できる。但し、形状記憶合金製ばね１６は、断熱筒状体１９の内部に内蔵するに代えて、樹脂チューブ等の保温材で被覆することによっても形状記憶合金製ばね１６からの放熱を防止できる。
【００１７】
また、形状記憶合金製ばね１６には常時微電流を流して該形状記憶合金製ばね１６を常時一定温度に保持することよっても、形状記憶合金製ばね１６は感知手段２からの信号に基づく通電による加熱によって短時間で所定温度に達して収縮し、起動時間の短縮化を図れる。
【００１８】
【発明の効果】
本発明の自動消火装置の起動装置によれば、消火薬剤容器の容器バルブに取り付けられた固定レバーと起動レバーとの間に、通電加熱により所定値以上の温度で収縮する形状記憶合金製ばねを設けるという簡単な手段で足り、従来のシリンダー・ピストンやガス発生器を用いる起動装置に比べて構造を著しく簡単にすることができ、また安価に提供できるという利点がある。
【図面の簡単な説明】
【図１】本発明の一実施例を示す自動消火装置の正面図である。
【図２】図１の自動消火装置の起動装置の正面図である。
【図３】従来例の自動消火装置の側面図である。
【図４】図３の自動消火装置の起動装置の縦断正面図である。
【符号の説明】
１　消火器
２　感知手段
６　消火薬剤容器
７　容器バルブ
１０　起動レバー
１１　固定レバー
１３　ホース
１４　放射ノズル
１５　起動手段
１６　形状記憶合金製ばね
１７　内筒
１８　外筒
１９　断熱筒状体
２２　バッテリー
【図１】
2004121533.tif 000003
【図２】
2004121533.tif 000004
【図３】
2004121533.tif 000005
【図４】
2004121533.tif 000006